(57)【要約】【課題】不審者の侵入防止性を高めたベランダ設備等の建築物設備を提供する。【解決手段】ベランダ設備等の建築物設備は、建築物に設けられ外部から建築物内へ透視する視界を遮る視界遮蔽体３と、視界遮蔽体３を作動させる視界を調整するように視界遮蔽体作動手段４と、建築物内に侵入した不審者Ｍを検知する不審者検知手段と、不審者検知手段により不審者Ｍが検知されるとき、視界遮蔽体作動手段４により視界遮蔽体３を作動させることにより前記視界を増加させる視界増加指令を出力する視界増加手段とを具備する。【選択図】  図１
2006089950.tif 000002
【特許請求の範囲】
【請求項１】
建築物に設けられ外部から建築物内へ透視する視界を遮る視界遮蔽体と、
前記視界遮蔽体を作動させて前記視界を調整する視界遮蔽体作動手段と、
前記建築物内に侵入した不審者を検知する不審者検知手段と、
前記不審者検知手段により不審者が検知されるとき、前記視界遮蔽体作動手段により前記視界遮蔽体を作動させて前記視界遮蔽体による遮蔽度を低下させることにより前記視界を増加させる視界増加手段とを具備していることを特徴とする建築物設備。
【請求項２】
建築物に設けられ外部から建築物内へ透視する視界を遮る視界遮蔽体と、
前記視界遮蔽体を作動させて前記視界を調整する視界遮蔽体作動手段と、
前記建築物内に侵入した不審者を検知する不審者検知手段と、
前記不審者検知手段により不審者が検知されるとき、前記視界遮蔽体作動手段により前記視界遮蔽体を作動させて前記視界遮蔽体による遮蔽度を低下させることにより前記視界を増加させる視界増加指令を出力する視界増加手段と、
前記視界遮蔽体をマニュアル操作で開閉するマニュアル操作モードと前記不審者検知手段を用いる防犯監視モードとを選択可能なモード選択手段とを具備しており、
前記防犯監視モードに切り替えられているとき、前記視界増加手段は、不審者が存在するときにおいて、前記視界遮蔽体作動手段により前記視界遮蔽体を作動させて視界遮蔽体による遮蔽度を低下させることにより前記視界を増加させることを特徴とする建築物設備。
【請求項３】
建築物に設けられ外部から建築物内へ透視する視界を遮る視界遮蔽体と、
前記視界遮蔽体を作動させて前記視界を調整する視界遮蔽体作動手段と、
前記建築物内に侵入した不審者を検知する不審者検知手段と、
前記不審者検知手段により不審者が検知されるとき、前記視界遮蔽体作動手段により前記視界遮蔽体を作動させて前記視界遮蔽体による遮蔽度の低下及び増加を繰り返す視界増加減少手段とを具備していることを特徴とする建築物設備。
【請求項４】
請求項１〜請求項３のうちのいずれか一項において、前記建築物はベランダ、バルコニー、または、仕切壁であることを特徴とする建築物設備。
【請求項５】
請求項１〜請求項４のうちのいずれか一項において、前記視界遮蔽体は、機械的エネルギにより作動して前記視界を調整する視界遮蔽体と、電気的エネルギにより作動して前記視界を調整する視界遮蔽体であることを特徴とする建築物設備。
【請求項６】
請求項１〜請求項５のうちのいずれか一項において、電気的エネルギにより作動して前記視界を調整する視界遮蔽体は、互いに対向する２枚の透明体と、２枚の透明体の間に介在するエレクトロクロミック材とを有することを特徴とする建築物設備。
【請求項７】
請求項１〜請求項６のうちのいずれか一項において、前記視界遮蔽体は、建築物に設けられた複数の可動部材と、各前記可動部材を連結すると共に各前記可動部材を連動させる連結部とを備えていることを特徴とする建築物設備。
【請求項８】
請求項７において、前記可動部材は、回動可能に枢支され回動に伴い前記視界を調整する回動部材であることを特徴とする建築物設備。
【請求項９】
請求項１〜請求項８のうちのいずれか一項において、前記視界遮蔽体作動手段は、駆動源と、前記駆動源により回転させる駆動ギヤと、前記駆動ギヤにより回転され雄ねじ部をもつ軸部材と、前記軸部材の前記雄ねじ部と螺合する雌ねじ部をもち前記軸部材の回転に伴い前記軸部材の軸長方向に沿って移動し移動に伴い前記視界遮蔽体による遮蔽度を調整する移動体とを備えていることを特徴とする建築物。
【請求項１０】
請求項１〜請求項９のうちのいずれか一項において、不審者の存在により前記視界増加手段が前記視界を増加させる視界増加指令を出力するとき、警報を発する警報手段と、不審者に対して警告または威嚇を行う手段とのうちの少なくとも一方を備えていることを特徴とする建築物設備。
【請求項１１】
請求項１〜請求項１０のうちのいずれか一項において、前記視界遮蔽体作動手段へ給電する給電システムを備えていることを特徴とする建築物設備。
【請求項１２】
請求項１１において、前記給電システムは、発電ユニット及び充電ユニットのうちの少なくとも一つを備えていることを特徴とする建築物設備。
【請求項１３】
請求項１〜請求項１２のうちのいずれか一項において、前記視界遮蔽体は、可動により前記視界を調整する可動部材を有しており、更に、前記可動部材の噛み込みを検知すると共に噛み込みが検知されるとき前記可動部材の駆動を停止または逆動させる噛み込み込み防止手段が設けられていることを特徴とする建築物設備。
【請求項１４】
請求項１〜請求項１３のうちのいずれか一項において、前記不審者検知手段により検知された不審者を特定する不審者特定手段が設けられていることを特徴とする建築物設備。
【請求項１５】
請求項１〜請求項１４のうちのいずれか一項において、前記視界遮蔽体が作動するとき、前記視界遮蔽体の噛み込みを防止する噛み込み防止手段が設けられており、前記噛み込み防止手段は、前記視界遮蔽体に対面するフェンス及びネット部材のうちの少なくとも一方で形成されていることを特徴とする建築物設備。
【請求項１６】
請求項１〜請求項１５のうちのいずれか一項において、前記不審者検知手段が不審者を検知したときに点灯する異常履歴表示手段を備えていることを特徴とする建築物設備。
【発明の詳細な説明】
【技術分野】
【０００１】
本発明は不審者の侵入防止性を高めたベランダ設備、仕切壁設備等の建築物設備に関する。ベランダ設備はベランダ及びバルコニーを含む。
【背景技術】
【０００２】
特許文献１には、バルコニーの手摺り構造として、回転軸に矩形板を枢支して形成した複数のルーバーと、各ルーバーを回動させる回動調整機構とを有するものが開示されている。このものによれば、使用者が操作して回動調整機構によりルーバーを回動させれば、ルーバーが閉じ、外界から室内への視界を遮ることができ、プライバシー保護性を高めることができる。また、回動調整機構によりルーバーを逆方向に回動させれば、ルーバーが開き、外界から室内への視界を拡大させると共に通気性を増加させることができる。
【特許文献１】特開平１１−２６４１８０号公報
【発明の開示】
【発明が解決しようとする課題】
【０００３】
上記した特許文献によれば、回動調整機構によりルーバーを回動させれば、ルーバーが閉じ、外界から室内への視界を遮ることができ、プライバシー保護性を高めることができる。しかしながら外界から室内への視界を遮ることができるもののの、使用者がルーバーの閉鎖を選択しているときには、外界から室内への視界を遮ることができ、プライバシー保護性を高めることができるものの、不審者がバルコニーに侵入したときには、バルコニーから室内をうかがう不審者を外部から視認しにくくなってしまうおそれがある。このようにルーバーが設けられているため、ルーバーが閉じていると、かえってベランダ設備に侵入した不審者の隠れ場所を提供していることにもなりかねない。このため不審者の侵入防止性については必ずしも充分ではなかった。
【０００４】
本発明は上記した実情に鑑みてなされたものであり、不審者の侵入防止性を高めたベランダ設備等の建築物設備を提供することを課題とする。
【課題を解決するための手段】
【０００５】
（１）第１発明に係る建築物設備は、建築物に設けられ外部から建築物内へ透視する視界を遮る視界遮蔽体と、視界遮蔽体を作動させて前記視界を調整する視界遮蔽体作動手段と、前記建築物内に侵入した不審者を検知する不審者検知手段と、不審者検知手段により不審者が検知されるとき、視界遮蔽体作動手段により視界遮蔽体を作動させて視界遮蔽体による遮蔽度を低下させることにより前記視界を増加させる視界増加手段とを具備していることを特徴とするものである。
【０００６】
第１発明に係る建築物設備によれば、不審者検知手段により不審者が検知されるとき、視界増加手段は、視界遮蔽体作動手段により視界遮蔽体を作動させて視界遮蔽体による遮蔽度を低下させることにより、外部から建築物内への視界を増加させる。これにより外部から建築物内へ透視する視界が増加するため、外部から不審者を発見し易くなる。
【０００７】
（２）第２発明に係る建築物設備は、建築物に設けられ外部から建築物内へ透視する視界を遮る視界遮蔽体と、視界遮蔽体を作動させて前記視界を調整する視界遮蔽体作動手段と、前記建築物内に侵入した不審者を検知する不審者検知手段と、不審者検知手段により不審者が検知されるとき、視界遮蔽体作動手段により視界遮蔽体を作動させて視界遮蔽体による遮蔽度を低下させることにより前記視界を増加させる視界増加手段と、視界遮蔽体をマニュアル操作で開閉するマニュアル操作モードと不審者検知手段を用いる防犯監視モードとを選択可能なモード選択手段とを選択可能なモード選択手段とを具備しており、
防犯監視モードに切り替えられているとき、視界増加手段は、不審者が存在するときにおいて、視界遮蔽体作動手段により視界遮蔽体を作動させて視界遮蔽体による遮蔽度を低下させることにより前記視界を増加させることを特徴とするものである。
【０００８】
第２発明に係る建築物設備によれば、防犯監視モードに切り替えられている場合、不審者検知手段により不審者が検知されるとき、視界増加手段は、視界遮蔽体作動手段により視界遮蔽体を作動させて視界遮蔽体による遮蔽度を低下させることにより、外部から建築物内への視界を増加させる。これにより外部から建築物内へ透視する視界が増加するため、外部から不審者を発見し易くなる。
【０００９】
また、マニュアル操作モードに切り替えられているとき、人体が検知されたとしても、その人体は一般的には家人であると考えられるため、外部から建築物への視界を増加させる視界増加指令は出力されない。このため視界遮蔽体は、外部から建築物内へ透視する視界を使用者の要請に応じて遮っており、建築物内のプレイバシーは保護される。
【００１０】
（３）第３発明に係る建築物設備は、建築物に設けられ外部から建築物内へ透視する視界を遮る視界遮蔽体と、視界遮蔽体を作動させて前記視界を調整する視界遮蔽体作動手段と、前記建築物内に侵入した不審者を検知する不審者検知手段と、不審者検知手段により不審者が検知されるとき、視界遮蔽体作動手段により視界遮蔽体を作動させて視界遮蔽体による遮蔽度の低下及び増加を繰り返す視界増加減少手段とを具備していることを特徴とするものである。
【００１１】
第３発明に係る建築物設備によれば、不審者検知手段により不審者が検知されるとき、視界増加減少手段は、視界遮蔽体作動手段により視界遮蔽体を作動させて、視界遮蔽体による遮蔽度の低下及び増加を繰り返す。このように視界遮蔽体による遮蔽度が低下するときには、外部から建築物内へ透視する視界が増加するため、外部から不審者を発見し易くなる。また不審者が検知されるとき、視界遮蔽体による遮蔽度の低下及び増加を繰り返すため、不審者に警告または威嚇を与えることができる。
【発明の効果】
【００１２】
本発明に係る建築物設備によれば、不審者検知手段により不審者が検知されるとき、視界増加手段は、視界遮蔽体作動手段により視界遮蔽体を作動させて視界遮蔽体による遮蔽度を低下させることにより、外部から建築物内への視界を増加させる。これにより外部から不審者を発見し易くなる。
【発明を実施するための最良の形態】
【００１３】
本発明に係る建築物設備は、建築物に設けられ外部から建築物内へ透視する視界を遮る視界遮蔽体と、視界遮蔽体を作動させて前記視界を調整する視界遮蔽体作動手段と、前記建築物内に侵入した不審者を検知する不審者検知手段と、不審者検知手段により不審者が検知されるとき、視界遮蔽体作動手段により視界遮蔽体を作動させて視界遮蔽体による遮蔽度を低下させることにより前記視界を増加させる視界増加指令を出力する視界増加手段とを具備している。
【００１４】
本発明に係る建築物設備としてはベランダ設備とすることができ、あるいは、仕切壁設備などの壁設備とすることができる。ベランダ設備はベランダ及びバルコニーを含む。本明細書によれば、ベランダとは、建物の外に張り出した部分で屋根のあるものをいう。バルコニーとは、建物の外に張り出した部分で屋根のないものをいう。
【００１５】
視界遮蔽体としては、機械的エネルギにより作動して、外部から建築物内への視界を調整する視界遮蔽体、あるいは、電気的エネルギにより作動して、外部から建築物内への視界を調整する視界遮蔽体を例示できる。機械的エネルギにより作動して前記視界を調整する視界遮蔽体としては、建築物に設けられた複数の可動部材と、各可動部材を連結すると共に各可動部材を連動させる連結部とを備えている形態を例示できる。この場合、可動部材としてはシャッターでも良い。あるいは、可動部材としては、回動可能に枢支され回動に伴い前記視界を調整する回動部材とすることもできる。ここで、視界遮蔽体作動手段は、駆動源と、駆動源により回転させる駆動ギヤと、駆動ギヤにより回転され雄ねじ部をもつ軸部材と、軸部材の雄ねじ部と螺合する雌ねじ部をもち軸部材の回転に伴い軸部材の軸長方向に沿って移動し移動に伴い視界遮蔽体による遮蔽度を調整する可動部材とを備えている形態を例示できる。駆動源としては駆動モータ、空気圧シリンダ、油圧シリンダが例示される。
【００１６】
電気的エネルギにより作動して前記視界を調整する視界遮蔽体としては、エレクトロクロミック式の視界遮蔽体を採用できる。この場合、電気的エネルギが加えられると、エレクトロクロミック式の視界遮蔽体の可視光透過率が変化するため、外部から建築物内への視界が調整される。
【００１７】
建築物内に侵入した不審者を検知する不審者検知手段としては、電磁波を発信し、不審者で反射した反射波を検知する電磁波センサ、あるいは、超音波を発信し、不審者で反射した反射波を検知する超音波センサ、あるいは、不審者から放射させる赤外線を検知する赤外線センサ、あるいは、不審者の発する音を検知するマイクロフォンセンサ等が例示される。電磁波センサとしては、電磁波としてのマイクロ波を発信し、不審者で反射した反射波を検知するマイクロ波センサを例示できる。赤外線は、可視光よりも波長の長い領域の電磁波である。赤外線センサは人体から放射された赤外線を検知するものであり、量子型でも熱型でも良い。熱型の赤外線センサとしては、赤外線により熱起電力を発生させるもの、赤外線により電荷を発生させる焦電効果を用いるもの、赤外線により電気抵抗を変化させるもの、赤外線により封入ガスの体積膨張を用いるもの等の公知の赤外線センサを採用できる。上記したセンサとしては、建築物の外部に設置されていも良いし、建築物の壁部に設置されていても良いし、建築物内に設置されていても良い。
【００１８】
視界増加手段は、視界遮蔽体作動手段により視界遮蔽体を作動させて、視界遮蔽体による遮蔽度を低下させることにより前記視界を増加させる視界増加指令を出力するものである。このような視界増加手段としては、例えばマイコンによるソフトウェアにより形成できる。
【００１９】
本発明によれば、不審者の存在により、外部から建築物内への視界を増加させる視界増加指令を視界増加手段が出力するとき、警報を発する警報手段と、不審者に対して警告または威嚇を行う手段とのうちの少なくとも一方を備えていることが好ましい。警報手段としては、不審者の存在の表示が挙げられる。不審者の存在の表示は、聴覚的表示、視覚的表示を例示できる。不審者に対する警告または威嚇は、聴覚的な警告または威嚇、視覚的な警告または威嚇、嗅覚的な警告または威嚇を含む。従って、不審者への威嚇としては、音響による警告または威嚇、光による警告または威嚇、散水による警告又は威嚇、発煙による警告または威嚇、ブザーによる警告または威嚇等、悪臭等の臭いによる警告または威嚇を含む。
【００２０】
視界遮蔽体作動手段へ給電する給電システムを備えていることが好ましい。給電システムは、発電ユニット及び充電ユニットのうちの少なくとも一つを備えていることが好ましい。この場合、建築物の商用電源から視界遮蔽体作動手段へ給電せずとも良く、ワイヤレスシテスムを採用することも期待できる。発電ユニットとしては、太陽電池、燃料電池等を例示できる。充電ユニットしてはキャパシタ、蓄電池等を例示できる。
【００２１】
不審者検知手段により検知された不審者を特定する不審者特定手段が建築物設備に設けられていることが好ましい。不審者特定手段は、不審者に染料やペンキ等の着色剤を付着させる方式、あるいは、不審者に水を付着させる方式を採用できる。
【００２２】
視界遮蔽体は、可動により前記視界を調整する可動部材を有しており、更に、可動部材の噛み込みを検知すると共に噛み込みが検知されるとき可動部材の駆動を停止または逆動させる噛み込み込み防止手段が設けられている形態を例示できる。可動部材の噛み込みが生じたとしても、対処できる。
【００２３】
また、視界遮蔽体が作動するとき、視界遮蔽体の噛み込みを防止する噛み込み防止手段が設けられており、この噛み込み防止手段は、視界遮蔽体に対面するフェンス及びネット部材のうちの少なくとも一方で形成されている形態を採用することができる。噛み込みが防止されるため、視界遮蔽体の故障が抑えられる。また、不審者検知手段が不審者を検知したときに点灯する異常履歴ランプ等の異常履歴表示手段を備えている形態を採用することができる。この場合、不審者が侵入した履歴が認識される。
【実施例１】
【００２４】
以下、本発明の実施例１について図１〜図９を参照して具体的に説明する。本実施例は家屋のベランダ設備１に適用したものである。図１に示すように、室内２０と室外２１と窓ガラス２２により仕切られている。窓ガラス２２はクレセント等の施錠機器２３を有する。ベランダ設備１は、室内２０に対面するように室外２１側に設けられており、窓ガラス２２を介して室内２０に繋がる床面２４と、障壁として機能する安全フェンス２５と、床面２４に対面する屋根部分２６とを有する。安全フェンス２５は内部に収容空間２５０を有する。
【００２５】
図１に示すように、室外２１に存在する不審者Ｍを検知する不審者検知手段としての不審者センサ５５がベランダ設備１の屋根部分２６に設けられている。不審者センサ５５は、屋根部分２６に目だたないように設けられていることが好ましい。ベランダ設備１上に侵入した不審者Ｍを不審者センサ５５が検知すると、その検知信号はワイヤ方式またはワイヤレス方式で後述のコントローラ５１に入力される。なお、不審者センサ５５を設ける位置としては、屋根部分２６に限定されるものではなく、床面２４、安全フェンス２５に設けても良いし、あるいは、室内２０からマイクロ波等の検出波が窓ガラス２２を透過して室外２１に至るようにしても良いものである。
【００２６】
ここで、不審者センサ５５としては、マイクロ波を発信し、不審者Ｍで反射した反射波を検知するマイクロ波センサ、あるいは、超音波を発信し、不審者Ｍで反射した反射波を検知する超音波センサ、あるいは、不審者Ｍから放射させる赤外線を検知する赤外線センサ、あるいは、不審者Ｍの発する音を検知するマイクロフォンセンサ等が例示される。
【００２７】
図２及び図３に示すように、ベランダ設備１は、ベランダ空間１ｃの視界を遮蔽する機能をもつ視界遮蔽体３を有する。この視界遮蔽体３は、外部から室内２０へ透視する視界を遮るものである。視界遮蔽体３は、機械的エネルギにより作動して、外部から室内２０への視界を調整するものであり、安全フェンス２５の収容空間２５０に内蔵されている。
【００２８】
図５に示すように、安全フェンス２５は収容空間２５０を形成する第１柵２５１及び第２柵２５２とを有する。第１柵２５１は室内側に対面しており、開口部２５１ａと壁部２５１ｂとを有する。第２柵２５２は室内側に背向しており、開口部２５２ａと壁部２５２ｂとを有する。安全フェンス２５は通風可能及び可視光が透過可能である。なお、図２及び図３では便宜上、開口部２５２ａ，壁部２５２ｂを省略している。
【００２９】
視界遮蔽体３は建築物に付設されているベランダ設備１に設けられている。視界遮蔽体３は、複数の可動部材として機能するように中央枢支軸３１ｘ（回動中心）により回動可能に枢支された断面羽根形状の回動部材３０と、各回動部材３０の端部を枢支軸３１により連結する連結部としての連結ロッド３２と、連結ロッド３２を作動させる中間部材としての中間リンク３４とを備えている。中間リンク３４は、連結ロッド３２の端部と移動体４６とを枢支軸３４ａ、３４ｃで揺動可能に接続している。
【００３０】
回動部材３０はルーバとも呼ばれるものであり、安全フェンス２５の収容空間２５０内に複数個間隔を隔てて並設されている。このように回動部材３０が安全フェンス２５の収容空間２５０内に内蔵されているため、回動部材３０に対する噛み込み防止性を高めることができる。必要に応じて安全フェンス２５にネットをかぶせても良い。
【００３１】
回動部材３０は、縦方向に沿って延設されている。回動部材３０は、縦方向に沿って配設された中央枢支軸３１ｘを中心として水平方向（矢印Ｈ１，矢印Ｈ２方向）に回動可能に枢支されている。連結ロッド３２が作動すると、連結ロッド３２に連動して複数の回動部材３０は同期して矢印Ｈ１，矢印Ｈ２方向に回動する。
【００３２】
ここで、各回動部材３０が閉鎖されているときには、安全フェンス２５を貫通する通気量が最小であり、各回動部材３０の回動角度θを０とする。各回動部材３０が全開されて通気量が最大とされているときには、回動部材３０の回動角度θはＭＡＸとなる。この結果、安全フェンス２５を通過する通気量は低下する。上記したように回動部材３０の回動角度θが調整されると、外部から室内２０への視界、及び、外部から室内２０への通気量が調整される。
【００３３】
図５に示すように、複数の回動部材３０は安全フェンス２５の収容空間２５０内に配置されている。安全フェンス２５の延設方向を矢印ＸＡ方向とする。回動部材３０の向きが矢印ＸＡ方向に沿った方向に指向すると、回動部材３０は閉鎖位置Ｂ１となる。このように回動部材３０が閉鎖位置Ｂ１になると、外部から室内２０への視界、または、室内２０から外部への視界は遮られると共に、室内２０への風通しが低下する。
【００３４】
これに対して、ベランダ設備１の安全フェンス２５の延設方向つまり矢印ＸＡ方向に沿って回動部材３０の向きが指向すると、回動部材３０は開放位置Ｂ２となる。このように回動部材３０が開放位置Ｂ２となると、図５から理解できるように、回動部材３０は壁部２５１ｂ，２５２ｂと重複する。この結果、安全フェンス２５の開口部２５１ａ，２５２ａの連通度が高くなる。故に、外部から室内２０への視界、または、室内２０と外部との間の視界は増加すると共に、室内２０への風通しも増加する。すなわち、視界遮蔽体３による視界が低下されているときには、不審者Ｍがベランダ設備１の床面２４に隠れていると、図２に示すように、その不審者Ｍの発見性は制約されている。
【００３５】
これに対して回動部材３０の回動角度θが増加しているときには、視界遮蔽体３による視界が制限されておらず、外部から室内２０への視界が増加している。この場合、安全フェンス２５の開口部２５１ａ，２５２ａの連通度が低くなる。故に、不審者Ｍがベランダ設備１の床面２４に隠れていても、図３に示すように、安全フェンス２５の開口部２５１ａ，２５２ａを通して不審者Ｍを視認することができ、外部からの不審者Ｍの発見性は大いに向上する。
【００３６】
視界遮蔽体作動手段４は、視界遮蔽体３を作動させることにより、外部から室内２０への視界、及び、外部から室内２０への通気量を調整するものである。
【００３７】
図４及び図５は視界遮蔽体作動手段４を示す。視界遮蔽体作動手段４は、安全フェンス２５の端部の機械室２５４に取り付けられているが、取り付ける位置としては特に限定されるものではない。図４に示すように、視界遮蔽体作動手段４は、駆動源としての駆動モータ４０と、駆動モータ４０のモータ軸４０ａにより回転させる駆動ギヤとしてのウォームギヤ４１と、ウォームギヤ４１に回転されるウォームホィールで形成された従動ギヤ４２と、従動ギヤ４２と同軸的に連結され従動ギヤ４２により回転され雄ねじ部４３をもつ軸部材４４と、軸部材４４の雄ねじ部４３と螺合する雌ねじ部４５をもち軸部材４４の回転に伴い軸部材４４の軸長方向に沿って移動し移動に伴い視界遮蔽体３の遮蔽度を調整する移動体４６と、軸部材４４の終端部に設けられたストッパ４７と、移動体４６の回り止めを行う回り止め部４８とを備えている。なお、移動体４６の移動はストッパ４７により制限される。ここで、  従動ギヤ４２の歯数をＮとすると、ウォームギヤ４１及び従動ギヤ４２によって、基本的には１／Ｎに減速される。故に、ウォームギヤ４１は減速要素としての減速ギヤまたは減速要素として機能することができる。ここで減速ギヤまたは減速要素により減速が行われると、トルクが増加する。故に、駆動モータ４０の回転駆動力を減速させて回動部材３０に伝播でき、回動部材３０の駆動力を確保できる。
【００３８】
ここで、駆動モータ４０が一方向に回転駆動すると、ウォームギヤ４１が回転し、従動ギヤ４２が回転し、ひいては従動ギヤ４２に同軸的に連結されている軸部材４４がこれの軸芯ＰＡのまわりで回転し、移動体４６が軸部材４４の軸芯ＰＡに沿って一方向つまり矢印Ａ１方向に移動し、これにより連結ロッド３２及び回動部材３０が閉鎖位置Ｂ１となり、複数の回動部材３０が安全フェンス２５の延設方向（矢印ＸＡ方向）に沿って指向する。これにより室内２０と外部との間の視界性及び通気性が低下する。
【００３９】
また、駆動モータ４０が他方向に回転駆動すると、ウォームギヤ４１が逆方向に回転し、従動ギヤ４２が逆方向に回転し、ひいては従動ギヤ４２に同軸的に連結されている軸部材４４がこれの軸芯ＰＡのまわりで逆方向に回転し、移動体４６が軸部材４４の軸芯ＰＡに沿って他方向つまり矢印Ａ２方向に移動し、これにより連結ロッド３２及び回動部材３０が開放位置Ｂ２となり、複数の回動部材３０が安全フェンス２５の延設方向（矢印ＸＡ方向）に交差する方向に指向する。これにより室内２０と外部との間の視界性及び通気性が増加する。
【００４０】
本実施例によれば、図５に示すように、安全フェンス２５の端に形成されている機械室２５４には、コントローラ５１及び充電器５３等が設けられている。更に、室内２０からの受信性を高めるべく、安全フェンス２５のうち室内２０に対向する部位２５ｍには受信部５０が設けられている。更に受信部５０の受信信号はコントローラ５１に入力される。太陽光の受光性を確保すべく、安全フェンス２５のうち室外２１に対向する部位２５ｎには、太陽電池５２が設けられている。太陽電池５２及び充電器５３は給電システムを構成する。これにより室内２０から商用電源を取らずとも良く、電気配線の施工レス、または、電気配線の施工の簡略化を達成できる。
【００４１】
更に図２に示すように、不審者Ｍを特定する不審者特定手段として、ベランダ設備１を照らして不審者Ｍを特定する照明灯５６、ベランダ設備１の不審者Ｍを撮影するＣＣＤ素子６１がベランダ設備１に設けられている。更に、不審者Ｍに対する警告手段として、ブザー５７、警告灯５８、発煙部６０がベランダ設備１に設けられている。更に、またベランダ設備１には、不審者警告手段または不審者特定手段として、不審者Ｍに散水する放水器５９、不審者Ｍに着色剤を投下する着色剤投下部６８が設けられている。
【００４２】
本実施例によれば、操作盤６３が室内２０側に設置されている。図６に示すように、操作盤６３は、防犯監視モードとマニュアル操作モードとを切り替えるモード選択スイッチ６４（モード選択手段）と、マニュアル操作モードにおいて視界を増加させる方向に視界遮蔽体３を駆動させる視界増加手動スイッチ６５と、マニュアル操作モードにおいて視界を減少させる方向に視界遮蔽体３を駆動させる視界減少手動スイッチ６６と、防犯監視モードにおいて不審者Ｍを特定させる不審者特定機能の内容を設定できるスイッチ６７と、防犯監視モードに設定されていることを表示する表示部７０と、マニュアル操作モードに設定されていることを表示する表示部７１と、異常履歴を表示する異常履歴ランプ７２と、異常リセットするリセットスイッチ７３と、リモコン１００からの電波を受信するリモコン受信部７４と、切スイッチ７５とを有する。リモコン１００は操作盤６３と同一機能を有する各種スイッチなどを有する。使用者は操作盤６３の各種スイッチによりあるいはリモコン１００により、操作盤６３の内容を設定することができる。操作盤６３の設定内容に基づいてコントローラ５１は制御を行う。
【００４３】
異常履歴を表示する異常履歴ランプ７２は、不審者センサ５５により不審者Ｍの存在が検知されたとき、点灯する。同時に、その旨が、メモリ５１４（図７参照）に記憶される。異常リセットが操作されると、メモリ５１４の消去・異常履歴ランプ７２の消灯がなされる。
【００４４】
なお、ベランダ設備１の事情等に応じて、スイッチ６７の操作により、不審者Ｍへの放水器５９からの散水を設定したり、中止したり、あるいは、不審者Ｍへの着色剤投下部６８からの着色剤の投下を設定したり、投下を中止したりできる。
【００４５】
図７は制御系のブロック図を示す。図７に示すように、モード選択スイッチ６４、視界増加手動スイッチ６５、視界減少手動スイッチ６６、スイッチ６７の操作信号は、コントローラ５１に入力される。駆動モータ４０にはトルクセンサ６９が設けられている。トルクセンサ６９で検知された駆動モータ４０のトルク検知信号は、コントローラ５１に入力される。不審者センサ５５の検知信号はコントローラ５１に入力される。コントローラ５１は、入力処理回路５１１と出力処理回路５１２とＣＰＵ５１３とメモリ５１４（ＲＡＭ，ＲＯＭ）と電源処理回路５１５とを有する。コントローラ５１は、照明灯５６、ブザー５７、警告灯５８、放水器５９、発煙部６０、ＣＣＤ素子６１、着色剤投下部６８に制御信号を出力する。太陽電池５２、充電器５３は電源処理回路５１５に接続されている。電源処理回路５１５は、コントローラ５１、照明灯５６、ブザー５７、警告灯５８、放水器５９、発煙部６０、ＣＣＤ素子６１、着色剤投下部６８にそれぞれ給電するため、商用電源から給電せずとも良い。但し、必要に応じて、照明灯５６、ブザー５７、警告灯５８、放水器５９、発煙部６０、ＣＣＤ素子６１、着色剤投下部６に商用電源から給電することにしても良い。
【００４６】
一般的には、家人が昼間在宅しているとき、操作盤６３はマニュアル操作モードに切り替えられる。マニュアル操作モードによれば、家人が操作盤６３のスイッチ６５,６６を操作すると、駆動モータ４０を一方向及び他方向に回転駆動でき、ひいては回動部材３０の角度θを調整でき、この結果、視界遮蔽体３による視界性及び通気性を低下させたり、あるいは、視界遮蔽体３による視界性及び通気性を増加させたりできる。このようにマニュアル操作モードによれば、使用者の好みに応じて駆動モータ４０の駆動量を制御できるため、視界遮蔽体３による視界性及び通気性を無段階または段階的に調整することができる。即ち、通気性を高めたいときには、回動部材３０の角度θを増加させ、視界遮蔽体３による視界性及び通気性を高める。また室内２０のプライバシー保護性を高めたいときには、回動部材３０の角度θを減少させ、視界遮蔽体３による視界性及び通気性を低下させる。家人が留守のとき、または、家人が在宅していても、夜間であるときには、防犯監視モードに切り替えることが好ましい。
【００４７】
本実施例によれば、防犯監視モードに切り替えられている場合、ベランダ設備１に侵入した不審者Ｍが不審者センサ５５により検知されるときには、不審者センサ５５の検知信号はコントローラ５１に入力され、コントローラ５１は、外部から室内２０への視界を増加させる視界増加指令を駆動モータ４０に出力する。この結果、駆動モータ４０が回転駆動して回動部材３０の角度θを増加させ、視界遮蔽体３による視界性及び通気性をＭＡＸ、または、ＭＡＸに近い状態とする。この結果、外部から室内２０への視界を増加させる。従って、ベランダ設備１に侵入している不審者Ｍを外部から発見する発見性が高まる（図３参照）。もし夜間であるときには、ベランダ設備１を照らす照明灯５６を点灯させて不審者Ｍを照らし、不審者Ｍの発見性及び特定性を更に高める。
【００４８】
更に、不審者Ｍが不審者センサ５５により検知されているときには、コントローラ５１は、不審者Ｍの存在の表示、不審者Ｍへの照明、不審者Ｍへの威嚇を実施する。具体的に、コンローラ５１はブザー５７、警告灯５８、放水器５９、発煙部６０、着色剤投下部６８に警報信号を出力する。よってブザー５７により警報を鳴らし、警告灯５８を点灯させ、放水器５９から放水させ、発煙部６０から発煙させる。放水すれば、不審者Ｍは濡れるため、不審者Ｍの特定に有利である。発煙すれば、近所の住民が集まり易く、不審者Ｍの発見に有利である。またコントローラ５１はＣＣＤ素子６１に撮像指令を出力し、ＣＣＤ素子６１で不審者Ｍを撮影する。撮影は発煙の前に行うことが好ましい。更にコンローラ５１は通信回線により家人及び警備会社に通報する。また不審者Ｍへの着色剤投下が決定されていれば、着色剤投下部６８のモータが駆動するので、屋根部分に２６に装備されている着色剤投下部６８の着色剤が投下される。この場合、不審者Ｍは着色されるので、不審者Ｍの特定に有利である。また、放水器５９からの放出される水を着色することもできる。
【００４９】
さて、視界及び通気性の調整のため、視界遮蔽体３を構成する回動部材３０が回動するため、回動部材３０による異物の噛み込みが発生するおそれがある。この点について本実施例によれば、回動部材３０は安全フェンス２５の第１柵２５１及び第２柵２５２に保護されているため、異物が回動部材３０に近づくことは制約されており、回動部材３０への異物の噛み込みは抑制されている。仮に、回動部材３０による噛み込みが発生したら、駆動モータ４０のトルクが急激に増加するため、トルクがしきい値を越えたら、コントローラ５１は、回動部材３０による異物の噛み込みとして検知する。従って、コントローラ５１は駆動モータ４０を停止させたり逆回転させたりし、回動部材３０の駆動を停止させたり、または、回動部材３０を逆動させたりする。回動部材３０による異物の噛み込みが生じたとしても、対処できる。なお噛み込み膨手段としては、更に、フェンス、フェンスに代えて、または、フェンスと共にネットを採用しても良い。
【００５０】
図８及び図９はコントローラ５１が実行する制御則のフローチャートの一例を示す。制御則はこのフローチャートに限定されるものではなく、適宜設定できる。まず、操作盤６３のモード選択スイッチ６４を読み込み（ステップＳ１０２）、モード選択スイッチ６４が防犯監視モードに切り替えられているか、マニュアル操作モードに切り替えられているかを判定する（ステップＳ１０４）。防犯監視モードに切り替えられていれば、不審者センサ５５の出力を読み込み、不審者Ｍが存在するか否か判定する（ステップＳ１０６、ステップＳ１０８）。不審者センサ５５により不審者Ｍが検知されないときには、メインルーチンにリターンし、駆動モータ４０は停止したままである。不審者センサ５５により不審者Ｍの存在が検知されたら、駆動モータ４０を回転駆動させて、回動部材３０の開放を最大とし、視界遮蔽体３を開放し、外部から室内２０への視界を最大とする（ステップＳ１１０）。ここで、ステップＳ１１０は、不審者センサ５５により不審者Ｍが検知されるとき、視界遮蔽体作動手段４により視界遮蔽体３を作動させることにより、外部から室内２０への視界を増加させる視界増加指令を出力する視界増加手段として機能することができる。
【００５１】
更に、夜間等のように周囲が暗いか否か判定する（ステップＳ１１２）。周囲が暗ければ、照明灯５６を点灯させてベランダ設備１上の不審者Ｍを照らす（ステップＳ１１４）。更にＣＣＤ素子６１に撮像指令を出力し、ベランダ設備１の不審者ＭをＣＣＤ素子６１で撮影する（ステップＳ１１６）。更に、ブザー５７、警告灯５８、放水器５９、発煙部６０に警報信号を出力する（ステップＳ１１８）。よってブザー５７により警報を鳴らし、警告灯５８を点灯させ、放水器５９から放水させ、発煙部６０から発煙させる。これにより不審者Ｍに対して警告または威嚇を行う。ユーザにより着色剤投下が設定されているときには、着色剤投下部６８に投下指令を出力し、着色剤を不審者Ｍに付着させる。更に通信回線により警備会社及び家人の携帯電話に通報し（ステップＳ１２０）、メインルーチンにリターンする。
【００５２】
防犯監視モードではなくマニュアル操作モードに切り替えられていれば、ステップＳ１０４からステップＳ２０２に進む。そして、視界を増加させるスイッチ６５、視界を減少させるスイッチ６６の手動操作の有無を読み込む（ステップＳ２０２）。そして、視界を増加させるようなスイッチ６５が手動操作されているか否かを判定する（ステップＳ２０４）。また、視界を減少させるようなスイッチ６６が手動操作されているか否か判定する（ステップＳ２５２）。
【００５３】
視界を増加させるようなスイッチ６５が手動操作されていれば、駆動モータ４０を一方向に所定時間駆動させ、回動部材３０を開放方向に回動させる（ステップＳ２０６）。このように回動部材３０が開放方向に回動すると、視界が増加する。また、視界を減少させるようなスイッチ６６が操作されていれば、駆動モータ４０を他方向に所定時間駆動させ、回動部材３０を閉方向に回動させ（ステップＳ２５４）。なおスイッチ６５，６６が操作されていなければ、駆動モータ４０を駆動させることなく、メインルーチンにリターンする。
【００５４】
ここで、駆動モータ４０が駆動しているとき、駆動モータ４０のトルクを読み込み（ステップＳ２０８）、回動部材３０に噛み込みが発生しているか否か判定する（ステップＳ２１０）。具体的には駆動モータ４０のトルクがしきい値を越えているか否か判定する。トルクがしきい値を越えていれば、回動部材３０に噛み込みが発生していると推定し、駆動モータ４０を停止させるか逆方向に駆動させ（ステップＳ２１２）、これ以上の噛み込み異常を回避する。駆動モータ４０のトルクがしきい値を越えていなければ、回動部材３０に噛み込みが生じていないため、駆動モータ４０の停止、逆動を行わず、メインルーチンにリターンする。
【実施例２】
【００５５】
図１０及び図１１は実施例２を示す。本実施例は実施例１と基本的には同様の構成であり、同様の作用効果を有する。以下、異なる部分を中心として説明する。本実施例では、電気的エネルギにより作動して、外部から室内２０への視界を調整するエレクトロクロミック式の視界遮蔽体３Ｂがベランダ設備１の安全フェンス２５に設けられている。図１１に示すように、視界遮蔽体３Ｂは、無機ガラスや有機ガラスで形成された透明ガラス等の透明体３００と、透明体３００に積層されたＩＴＯ膜等の透明導電膜３１０と、透明体３００に付設されたエレクトロクロミック材３２０とを備えている。エレクトロクロミック材３２０は酸化タングステンを主要成分として含む。透明導電膜３１０には電圧を印加できるようになっている。コントローラ５１は、エレクトロクロミック材３２０に加える電気的エネルギ（電圧）を調整する。従ってコントローラ５１は、視界遮蔽体作動手段として機能することができる。電気的エネルギがエレクトロクロミック材３２０に加えられると、エレクトロクロミック材３２０において可視光の透過率が変化し、透明化が進行したり、遮光性が進行したりする。透明化が進行すれば、外部から建築物の室内２０へ透視する視界が増加し、不審者を発見し易くなる。
【００５６】
本実施例においても、防犯監視モードに切り替えられている場合、不審者Ｍが不審者センサ５５により検知されると、不審者センサ５５の検知信号はコントローラ５１に入力される。すると、コントローラ５１は、前記視界を増加させる視界増加指令を出力する。この結果、エレクトロクロミック材３２０による視界性をＭＡＸ、または、ＭＡＸに近い状態とする。従って、ベランダ設備１に侵入している不審者Ｍを外部から発見する発見性が高まる。
【００５７】
もし夜間であるときには、前記した実施例と同様に、ベランダ設備１または室内２０に設置されている照明灯を点灯させて不審者Ｍを照らし、不審者Ｍの発見性を更に高める。更に不審者Ｍが不審者センサ５５により検知されるときには、コントローラ５１は、ブザー５７、警告灯５８、放水器５９に警報信号を出力する。これによりブザー５７により警報を鳴らし、警告灯５８を点灯させ、放水器５９から放水させると共に、通信回線により家人及び警備会社に通報する。
【実施例３】
【００５８】
図１２及び図１３は実施例３を示す。本実施例は実施例１と基本的には同様の構成であり、同様の作用効果を有する。以下、異なる部分を中心として説明する。本実施例は家屋の境界等を仕切る外壁として機能できる仕切壁設備８の視界性に適用したものである。図１３に示すように、仕切壁設備８は、収容空間８０を形成する第１柵８１及び第２柵８２とを有している。第１柵８１は開口部８１ａと壁部８１ｂを有する。第２柵８２は開口部８２ａと壁部８２ｂを有する。
【００５９】
仕切壁設備８は視界遮蔽体３を有する。この視界遮蔽体３は視界を遮るものでありも実施例１の視界遮蔽体と同様な構造である。図１３に示すように、視界遮蔽体３は、中央枢支軸３１ｘにより揺動可能に枢支された複数の可動部材として機能する断面羽根形状の回動部材３０と、各回動部材３０の端部を枢支軸３１により連結する連結部としての連結ロッド３２と、連結ロッド３２を作動させる中間部材としての中間リンク３４とを備えている。
【００６０】
この場合、回動部材３０は、仕切壁設備８の収容空間８０内に複数個間隔を隔てて並設されており、縦方向に配設された中央枢支軸３１ｘを中心として水平方向に回動可能に枢支されている。駆動モータ４０により連結ロッド３２が作動すると、複数の回動部材３０は同期して回動する。ここで、各回動部材３０が閉鎖されているときには、通気量が最小であり、各回動部材３０の回動角度θを０とする。各回動部材３０が全開されて通気量が最大とされているときには、回動部材３０の回動角度θはＭＡＸとなる。
【００６１】
本実施例においても、防犯監視モードに切り替えられている場合において、不審者Ｍが不審者センサ５５により検知されると、不審者センサ５５の検知信号はコントローラ５１に入力される。そしてコントローラ５１は、外部から室内２０への視界を増加させる視界増加指令を視界遮蔽体作動手段４の要素である駆動モータ４０に出力する。この結果、駆動モータ４０が回転駆動して回動部材３０の角度θを増加させ、視界遮蔽体３による視界性及び通気性をＭＡＸ、または、ＭＡＸに近い状態とする。この結果、外部から室内２０への視界を増加させる。従って、ベランダ設備１に侵入している不審者Ｍを外部から発見する発見性が高まる。もし夜間であるときには、ベランダ設備１を照らす照明灯５６を点灯させて不審者Ｍを照らし、不審者Ｍの発見性を更に高める。更に、不審者Ｍが不審者センサ５５により検知されているときには、コントローラ５１は、不審者Ｍの存在の表示、不審者Ｍへの照明、不審者Ｍへの威嚇を実施する。具体的に、コンローラ５１はブザー５７、警告灯５８、放水器５９、発煙部６０に警報信号を出力する。
【実施例４】
【００６２】
図１４は実施例４を示す。本実施例は実施例１と基本的には同様の構成であり、同様の作用効果を有する。以下、異なる部分を中心として説明する。本実施例は、不審者センサ５５により不審者Ｍが検知されるとき、視界増加減少手段として機能するコントローラ５１は、視界遮蔽体作動手段４により視界遮蔽体３の回動部材３０を一方向及び逆方向に繰り返し作動させる。この結果、視界遮蔽体３の回動部材３０による遮蔽度の低下及び増加を所定時間繰り返す。このように視界遮蔽体３の回動部材３０による遮蔽度が低下するときには、外部から室内２０へ透視する視界が増加するため、ベランダ設備１に存在する不審者Ｍを外部から発見し易くなる。また不審者センサ５５により不審者が検知されるとき、視界遮蔽体３の回動部材３０による遮蔽度の低下及び増加を所定時間繰り返すため、不審者Ｍに警告または威嚇を与えることができる。
【００６３】
図１４はコントローラ５１が実行する制御則のフローチャートの一例を示す。制御則はこのフローチャートに限定されるものではなく、適宜設定できる。まず、操作盤６３のモード選択スイッチ６４を読み込み（ステップＳ３０２）、モード選択スイッチ６４が防犯監視モードに切り替えられているか、マニュアル操作モードに切り替えられているかを判定する（ステップＳ３０４）。防犯監視モードに切り替えられていれば、不審者センサ５５の出力を読み込み、不審者Ｍが存在するか否か判定する（ステップＳ３０６、ステップＳ３０８）。不審者センサ５５により不審者Ｍが検知されないときには、メインルーチンにリターンし、駆動モータ４０は停止したままである。不審者センサ５５により不審者Ｍの存在が検知されたら、駆動モータ４０の正回転及び逆回転を所定時間繰り返し、回動部材３０の開き方向への回動と、回動部材３０の閉じ方向への回動とを所定時間繰り返す（ステップＳ３１０）。
【００６４】
このように回動部材３０が開き方向へ回動するとき、視界遮蔽体３の回動部材３０による遮蔽度が低下する。この場合、外部から室内２０へ透視する視界が増加するため、ベランダ設備１上に存在する不審者Ｍを外部から発見し易くなる。また不審者センサ５５により不審者が検知されるとき、視界遮蔽体３の回動部材３０による遮蔽度の低下及び増加を所定時間繰り返すため、不審者Ｍに警告または威嚇を与えることができ、不審者への退散を促すことができる。
【００６５】
ここで、ステップＳ３１０は、不審者センサ５５により不審者が検知されるとき、視界遮蔽体作動手段４により視界遮蔽体３を作動させ、視界遮蔽体３による遮蔽度の低下及び増加を所定時間繰り返す視界増加減少手段として機能することができる。
【００６６】
更に、夜間等のように周囲が暗いか否か判定する（ステップＳ３１２）。周囲が暗ければ、照明灯５６を点灯させてベランダ設備１上の不審者Ｍを照らす（ステップＳ３１４）。更にＣＣＤ素子６１に撮像指令を出力し、ベランダ設備１の不審者ＭをＣＣＤ素子６１で撮影する（ステップＳ３１６）。更に、ブザー５７、警告灯５８、放水器５９、発煙部６０に警報信号を出力する（ステップＳ３１８）。よってブザー５７により警報を鳴らし、警告灯５８を点灯させ、放水器５９から放水させ、発煙部６０から発煙させる。これにより不審者Ｍに対して警告または威嚇を行う。ユーザにより着色剤投下が設定されているときには、着色剤投下部６８に投下指令を出力し、着色剤を不審者Ｍに付着させる。更に通信回線により警備会社及び家人の携帯電話に通報し（ステップＳ３２０）、メインルーチンにリターンする。
【００６７】
（その他）
上記した実施例によれば、視界を調整する回動部材３０は縦方向に沿って延びているが、これに限らず、横方向に沿って延びている構成としても良い。実施例１によれば、ベランダに適用したものであるが、これに限らず、バルコニーに適用しても良い。本発明は上記し且つ図面に示した実施形態および実施例のみに限定されるものではなく、要旨を逸脱しない範囲内で適宜変更して実施できるものである。
【産業上の利用可能性】
【００６８】
本発明は不審者の侵入防止性を高めたベランダ設備、仕切壁設備等の建築物設備に利用できる。ベランダ設備はベランダ及びバルコニーを含む。
【図面の簡単な説明】
【００６９】
【図１】実施例１に係り、不審者がベランダ設備に侵入している状態を示す構成図である。
【図２】実施例１に係り、視界遮蔽体による視界が減少しているときにおいて不審者がベランダ設備に隠れている状態を示す正面図である。
【図３】実施例１に係り、視界遮蔽体による視界が増加しているときにおいて不審者がベランダ設備に隠れている状態を示す正面図である。
【図４】実施例１に係り、視界遮蔽体作動手段の主要構成を示す斜視図である。
【図５】実施例１に係り、視界遮蔽体及び視界遮蔽体作動手段の主要構成を示し、図３のＶ−Ｖ線に沿った矢視図である。
【図６】実施例１に係り、リモコンで操作盤を操作している状態を示す構成図である。
【図７】実施例１に係り、制御系のブロック図である。
【図８】実施例１に係り、制御則の一例を示すフローチャートである。
【図９】実施例１に係り、制御則の一例を示すフローチャートである。
【図１０】実施例２に係り、視界遮蔽体による視界が減少しているときにおいて不審者がベランダ設備に隠れている状態を示す正面図である。
【図１１】実施例２に係り、エレクトロクロミック式の視界遮蔽体の断面図である。
【図１２】実施例３に係り、視界遮蔽体による視界が減少しているときにおいて不審者が仕切壁に隠れている状態を示す正面図である。
【図１３】実施例３に係り、視界遮蔽体及び視界遮蔽体作動手段の主要構成を示す断面図である。
【図１４】実施例４に係り、制御則の一例を示すフローチャートである。
【符号の説明】
【００７０】
図中、１はベランダ設備、２０は室内、２１は室外、２２は窓ガラス、２４は床面、２５は安全フェンス、２５０は収容空間、２６は屋根部分、３は視界遮蔽体、３０は回動部材、３１は枢支軸、３２は連結ロッド、４は視界遮蔽体作動手段、４０は駆動モータ、４２は従動ギヤ、４４は軸部材、５１はコントローラ（視界増加手段）、５５は不審者センサ（不審者検知手段）、６４はモード選択スイッチ（モード選択手段）を示す。
【図１】
2006089950.tif 000003
【図２】
2006089950.tif 000004
【図３】
2006089950.tif 000005
【図４】
2006089950.tif 000006
【図５】
2006089950.tif 000007
【図６】
2006089950.tif 000008
【図７】
2006089950.tif 000009
【図８】
2006089950.tif 000010
【図９】
2006089950.tif 000011
【図１０】
2006089950.tif 000012
【図１１】
2006089950.tif 000013
【図１２】
2006089950.tif 000014
【図１３】
2006089950.tif 000015
【図１４】
2006089950.tif 000016